(57)【要約】【課題】  薬注ポンプと水位レベルセンサーの組み合せにより、混合率を一定にすることができ、したがって一定の味を一定の量、安定して提供することができる。  また、使用するミネラル液には殺菌効果があり、夏場の常温でも雑菌が繁殖しない等の機能を有しているため、設備費用も安価で済み、かつ体に良いミネラル水を造る創水機を提供する。【解決手段】  水道水の塩素を除去する塩素除去フィルターと、ミネラル液を入れてなる添加液タンクと、ミネラル液を送る薬注ポンプと、塩素除去水とミネラル液を混合してミネラル水を造る水位レベルセンサーを設けてなる創水タンクと、混合するための循環ポンプとからなり、水位レベルセンサーにて、一定水量以下になると薬注ポンプが作動し、一定量のミネラル液を注入すると共に、塩素除去水も同時に注入し、一定量になった時点で、循環ポンプを作動させ、創水タンク内で一定時間混合してなることを特徴とする。【選択図】  図１
2005028349.tif 000002
【特許請求の範囲】
【請求項１】
水道水の塩素を除去する塩素除去フィルターと、ミネラル液を入れてなる添加液タンクと、ミネラル液を送る薬注ポンプと、塩素除去水とミネラル液を混合してミネラル水を造る水位レベルセンサーを設けてなる創水タンクと、混合するための循環ポンプとからなり、水位レベルセンサーにて、一定水量以下になると薬注ポンプが作動し、一定量のミネラル液を注入すると共に、塩素除去水も同時に注入し、一定量になった時点で、循環ポンプを作動させ、創水タンク内で一定時間混合してなることを特徴とする創水機。
【請求項２】
創水タンクにおいて、塩素除去水３０Ｌに対してミネラル液を１５ｃｃ注入してなることを特徴とする請求項１記載の創水機。
【請求項３】
ミネラル液が、７８種類以上の天然ミネラルを含有してなり、殺菌力を有することを特徴とする請求項１又は２記載の創水機。
【発明の詳細な説明】
【技術分野】
【０００１】  本発明は、水道水から塩素を除去した塩素除去水と天然ミネラル液を効率よく混合して、殺菌力のあるミネラル水を製造する創水機に関するものである。
【背景技術】
【０００２】  従来の技術としては、原水供給口に接続された不純物除去手段と、液状ミネラル成分供給タンクと、前記不純物除去手段を通過した水の取入れ口および前記液状ミネラル成分供給タンクからの供給口が接続されたミネラル成分混合手段とを備え、前記ミネラル成分混合手段が自然混合機構によってミネラル成分の吸入・混合を行うことを特徴とするミネラル水供給装置、また、ミネラル成分の付与されたミネラル水を飲料水に変成するために、通過する水のｐＨ値を所望範囲に調整するためのｐＨ調整手段と、通流する水内の粗粒物質を除去するための一次フィルタならびに該一次フィルタを通過した残留微粒物質を除去するための二次フィルタを連結した二重フィルタ手段とを具備することを特徴とするｐＨ調整濾過装置がある。（特許文献１参照）【０００３】
【特許文献１】        特開２０００−７０９６５号公報（請求項１、４、図１）
【発明の開示】
【発明が解決しようとする課題】
【０００４】  しかし、上記のような形態では、ミネラル成分混合手段が自然混合機構によって行うため、混合が効率よく行われず、不均一になる可能性がある。
また、残留微粒物質を除去するためのフィルタをミネラル成分混合手段の後に設けているため、ミネラル成分を除去される可能性もあり、非効率である。
さらに、殺菌するための手段が明記されていないため、特に夏場における雑菌対策には問題があるのが現状である。【０００５】  本発明は、上記の問題点に鑑みなされたもので、その目的は、薬注ポンプと水位レベルセンサーの組み合せにより、混合率を一定にすることができ、したがって一定の味を一定の量、安定して提供することができる。
また、使用するミネラル液には殺菌効果があり、夏場の常温でも雑菌が繁殖しない等の機能を有しているため、設備費用も安価で済み、かつ体に良いミネラル水を造る創水機を提供するものである。
【課題を解決するための手段】
【０００６】  課題を解決するための手段として、水道水の塩素を除去する塩素除去フィルターと、ミネラル液を入れてなる添加液タンクと、ミネラル液を送る薬注ポンプと、塩素除去水とミネラル液を混合してミネラル水を造る水位レベルセンサーを設けてなる創水タンクと、混合するための循環ポンプとからなり、水位レベルセンサーにて、一定水量以下になると薬注ポンプが作動し、一定量のミネラル液を注入すると共に、塩素除去水も同時に注入し、一定量になった時点で、循環ポンプを作動させ、創水タンク内で一定時間混合してなること。また、創水タンクにおいて、塩素除去水３０Ｌに対してミネラル液を１５ｃｃ注入してなること。さらに、ミネラル液が、７８種類以上の天然ミネラルを含有してなり、殺菌力を有することを特徴とする。
【発明の効果】
【０００７】１）、薬注ポンプと水位レベルセンサーの組み合せにより、混合率を一定にすることができ、したがって一定のミネラル液を一定の量だけ、安定して提供することができる。
２）、ミネラル液が、７８種類以上の天然ミネラルを含有してなるものを使用することにより、殺菌力があり、夏場の使用でも雑菌が繁殖することがなく、安心して使用できる。
３）、体に良いミネラル水であり、健康増進に大いに役立っている。
【発明を実施するための最良の形態】
【０００８】
【実施例】  １は、創水機である。
２は、水道水を調整する調整弁で、水道水給水弁２ａと水道水遮断弁２ｂと手動弁２ｃから構成される。
３は、水道水の塩素を除去する塩素除去フィルターである。
４は、ミネラル液４ａを入れてなる添加液タンクである。
なお、このミネラル液は、マグネシウムを主成分とするマルチミネラル濃縮液で、マグネシウム、硫酸塩、ナトリウム、カリウム、リチウム、ホウ素、カルシウム、鉄、リン、セレン、亜鉛、マンガン、銅、ヨウ素、クロム、モリブデン等、合計７８種類以上のミネラル分を含んでなるもので、殺菌力があり、うがい水としても使用できるものである。
５は、上記ミネラル液４ａを送る薬注ポンプで、必要量（例えば１５ｃｃ）注入した時点で、自動的にストップするものである。
６は、創水タンクで、塩素除去水３ａとミネラル液４ａを混合してミネラル水（調整水）Ｍを造るものであり、水位レベルセンサー６ａにてタンク内の水量をチェックしている。
つまり、ミネラル水の量が減った時点で水位レベルセンサー６ａ（６ａ１）が作動し、塩素除去水３ａとミネラル液４ａをタンク内注入する。
例えば、塩素除去水３ａを３０Ｌとし、ミネラル液４ａを１５ｃｃとし、２０００倍希釈で飲用するものである。
必要量注入した時点で、水位レベルセンサー６ａ（６ａ２）が作動し、注入をストップする。
７は、塩素除去水３ａとミネラル液４ａを混合するための循環ポンプで、例えば２０分〜３０分作動した後、自動的にストップするものである。
８は、上記ミネラル水Ｍを抜き取ったり清掃する場合等に、水抜きするための手動排水弁である。
９は、ミネラル水Ｍを混合する場合や強制的に排水する場合、切り替えて使用する手動３方弁である。
１０は、給水遮断弁で、ミネラル水Ｍを蛇口に送ると共に、ミネラル水Ｍを混合する場合に切り替えて使用するものである。
１１は、蛇口で、必要量ボトルＢに注ぐ（５Ｌ〜１０Ｌ）ものである。【０００９】  上記創水機１の使用例を下記に述べる。
まず、調整弁２をすべて開く。
この状態で、水道水Ｓが流入し、塩素除去フィルター３を通過させ、塩素除去水３ａを造り、創水タンク６内に注入すると同時に、薬注ポンプ５を作動させ、添加液タンク４内のミネラル液４ａを一定量創水タンク６内に注入する。
水位レベルセンサー６（６ａ２）の水位まできた時点で、注入を停止（水道水給水弁２ａ及び水道水遮断弁２ｂを閉じる）し、循環ポンプ７を作動させ、創水タンク６内の塩素除去水３ａとミネラル液４ａを混合する。
この時、手動排水弁８及び給水遮断弁１０は閉じた状態で、手動３方弁は上方に開いている。（実線矢印参照）
一定時間経過後、循環ポンプ７を停止する。
つぎに、給水遮断弁１０を開き、蛇口１１からミネラル水Ｍを必要量ボトルＢに入れる。（１点鎖線矢印参照）【００１０】  創水タンク６内のミネラル水Ｍが少なくなった時点で、水位レベルセンサー６（６ａ１）が作動し、上記と同様な動きにてミネラル水Ｍを造る。【００１１】  つづいて、創水タンク６内のミネラル水Ｍを抜き取る場合や清掃後の排水を行う場合は、手動排水弁８を開き、排水口Ｈより排水させる。（２点鎖線矢印参照）
また、別の排水方法としては、循環ポンプ７を作動させ、手動３方弁９を下方に開いて、排水口Ｈより排水させるものである。（３点鎖線矢印参照）
なお、緊急時に水道水を止める時は、手動弁２ｃを閉めるものである。
【産業上の利用可能性】
【００１２】  上記のような構造の創水機は、シンプルな構造でありながら、一定のミネラル液、一定の量だけ、安定して提供でき、しかも、ミネラル液が殺菌力を有し、夏場でも安心して飲用することができる。
また、試飲者のテスト結果、関節炎が良くなった・血圧が下がった・白髪が黒くなった・腰痛が良くなった・ＧＯＴ、ＧＰＴが平常値になった等、色々な効果が現れ、手軽に飲めて健康になるミネラル水として産業上の利用可能性は大きいものである。
【図面の簡単な説明】
【００１３】
【図１】  本発明の創水機の一実施例を示すブロック図である。
【符号の説明】
１−−−創水機
２−−−調整弁
３−−−塩素除去フィルター
４−−−添加液タンク
５−−−薬注ポンプ
６−−−創水タンク
７−−−循環ポンプ
８−−−手動排水弁
９−−−手動３方弁
１０−−給水遮断弁
１１−−蛇口
Ｍ−−−ミネラル水
Ｂ−−−ボトル
【図１】
2005028349.tif 000003